(57)【要約】【課題】標準機器で構成される簡易な監視システムについて、クライアントの要求に応じたシステム構成を簡単に構築し、監視システムを短期に、しかも安価に構築できる監視システムの受発注システムを提供する。【解決手段】上記監視システムの受発注システムは、ネットワークを介してデータの送受信を行うクライアントの端末装置と、上記クライアントの端末装置からの要求を受け付けるサーバ装置からなり、上記サーバ装置は、監視システムの構成に必要な部品リストの中から変数に応じて所定の部品の選択を行う選択手段と、上記クライアントの端末装置からの要求に対して受注伝票を発行する手段を備え、上記クライアントの要求に基づき上記変数の決定画面を上記クライアントの端末装置のモニター上に表示し、上記クライアントが上記モニタ上で決定する変数を上記サーバ装置は受け付けると共に上記選択手段により上記部品の選択を行う。【選択図】  図１
2004302813.tif 000002
【特許請求の範囲】
【請求項１】
ネットワークを介してデータの送受信を行うクライアントの端末装置と、上記クライアントの端末装置からの要求を受け付けるサーバ装置からなり、上記サーバ装置は、監視システムの構成に必要な部品リストの中から変数に応じて所定の部品の選択を行う選択手段と、上記クライアントの端末装置からの要求に対して受注伝票を発行する手段を備え、上記サーバ装置は、上記クライアントの要求に基づき、上記ネットワークを介して上記変数の決定画面を上記クライアントの端末装置のモニター上に表示し、上記クライアントが上記モニタ上で決定する変数を上記サーバ装置は受け付けると共に上記選択手段により上記部品の選択を行い、選択結果を上記ネットワークを介して上記クライアントの端末装置のモニタ上に表示し、上記クライアントの端末装置からの指示に応じた発注伝票を発行することを特徴とする監視システムの受発注システム。
【発明の詳細な説明】
【０００１】
【発明の属する技術分野】
本発明は監視システムの受発注システムに関し、特にインターネットを用いた監視システムの受発注システムに関する。
【０００２】
【従来の技術】
従来、監視カメラと、監視カメラで撮影された映像を記録する記録装置と、監視カメラの映像をモニタリングするモニタと、これらを接続する接続装置等からなる監視システムを製作する場合、営業マンや設計者がクライアントと直接面談による打合せを行い、クライアントの要求に合った監視システムの仕様を決定していた（文献公知発明に係るものではない）。
【０００３】
【発明が解決しようとする課題】
監視システムは、簡易なものであっても基本的に面談による打合せの上、仕様を決め、設計、製造を行ってきた。そのため、簡易なシステムでも規模の大きなものと同様に手間とコストが掛かり、その結果、コスト高や、納期の遅延が生じ、クライアント、製造メーカー共に不都合が生じていた。通常、簡易な監視システムであれば、構成が標準化されていてカメラやモニタの必要数さえ決まれば容易にシステムを決めることができる。
【０００４】
また、従来の監視システムは、クライアントが発注段階で監視画像をイメージすることはできなかった。したがって、監視システムの納入前に監視画像を確認したい場合、実際に設置現場にカメラを持ちこみデモを行い、クライアントに実際の撮像画面を確認してもらっており、手間とコストが掛かる事態となっていた。
【０００５】
本発明の目的は、標準機器で構成される簡易な監視システムについて、クライアントの要求に応じたシステム構成を簡単に構築し、監視システムを短期に、しかも安価に構築できる監視システムの受発注システムを提供することである。
【０００６】
本発明の他の目的は、監視システムの発注段階において監視画像のイメージをクライアントに提供することができる監視システムの受発注システムを提供することである。
【０００７】
【課題を解決するための手段】
この目的を達成するため、本発明の監視システムの受発注システムは、ネットワークを介してデータの送受信を行うクライアントの端末装置と、上記クライアントの端末装置からの要求を受け付けるサーバ装置からなり、上記サーバ装置は、監視システムの構成に必要な部品リストの中から変数に応じて所定の部品の選択を行う選択手段と、上記クライアントの端末装置からの要求に対して受注伝票を発行する手段を備え、上記サーバ装置は、上記クライアントの要求に基づき、上記ネットワークを介して上記変数の決定画面を上記クライアントの端末装置のモニター上に表示し、上記クライアントが上記モニタ上で決定する変数を上記サーバ装置は受け付けると共に上記選択手段により上記部品の選択を行い、選択結果を上記ネットワークを介して上記クライアントの端末装置のモニタ上に表示し、上記クライアントの端末装置からの指示に応じた発注伝票を発行する。
【０００８】
【発明の実施の形態】
以下、本発明の実施の形態について、図面を参照しながら説明する。
【０００９】
図１は、本発明の受発注システムの全体図を示したものである。概説すると、クライアントがクライアント端末１のＷＥＢブラウザを用いてインターネット等のネットワーク２を介してＷＥＢサーバ３に接続すると、専用のＷＥＢ画面がクラアント端末の表示画面に表示されるようになされる。クライアント端末１は、専用のＷＥＢ画面に表示される質問事項に従って注文したい監視システムの仕様を入力する。なお、専用のＷＥＢ画面はＧＵＩ（グラフィカルユーザインタフェース）として機能し、クライアント端末１に備えられたキーボードやマウス等の入力装置による入力が可能である。ＷＥＢサーバ３は、クライアント端末１から入力された要求仕様をＷＥＢサーバ３上で起動されるＣＧＩ（Ｃｏｍｍｏｎ  Ｇａｔｅｗａｙ  Ｉｎｔｅｒｆａｃｅ）プログラム４に渡す。ＣＧＩプログラム４では、受け取った要求仕様に応じたシステム系統、機器構成を自動的に選定し、選定内容をプログラムの実行結果としてＷＥＢサーバ３に返す。実行結果を受け取ったＷＥＢサーバ３は、選定内容をインターネットを介してクライアント端末１に配信する。また、ＷＥＢサーバ３は後述する画像イメージを配信し、クライアント端末１の表示画面に表示させることもできる。クライアント端末１は、監視システムの選定内容を確認し、選定された機器で問題なければ、ＷＥＢサーバ３に発注を指示し、発注指令を受けたＷＥＢサーバ３は前記選定内容を記録した発注伝票データ（機器構成表）を生成し、工場５に転送する。
【００１０】
ここで、ＷＥＢサーバ３は監視システムの構成機器を３つのカテゴリ、すなわちカテゴリＡ（カメラ部）、カテゴリＢ（録画部）、カテゴリＣ（モニタ部）として捉え、これらを変数としてクライアントに提供し、変数の決定を促す。クライアントは上述の通り、専用のＷＥＢ画面からの入力動作により変数を決定することができる。ここで、専用のＷＥＢ画面には質問事項が用意されており、クライアントはその質問事項にマウスによる選択動作等で回答する形式で簡便に注文したい監視システムの仕様を入力することができるようになされている。したがって、従来のように面談による打ち合わせを行うことなく、インターネット上で対話型により監視システムの機器を選定・提供することができる。
【００１１】
図２は、クライアント端末１が監視システムの要求仕様を入力する際に用いられる専用のＷＥＢ画面である。画面には、Ｑ１〜Ｑ９の質問事項が設定されており、クライアントが順次回答することでシステム仕様が明確になり、後述するように監視システムの構成機器及びその台数が自動的に決定されるようになされる。クライアントは、Ｑ１では所望のカメラ台数を自然数でキーボードにより入力する。Ｑ２ではカメラの設置環境を選択することができ、屋外型なら「０」、屋内型なら「１」に対応するチェックボックスをマウスで選択する。同様に、続くＱ３〜Ｑ９においても図２に示される質問内容に応じて所望の監視システムの仕様を０〜３のいずれかの数値で示されるチェックボックスをマウスで選択することにより入力できる。以上の通り、専用のＷＥＢ画面によりクライアントからのシステム仕様の要求が入力されると、ＷＥＢサーバ３はＷＥＢサーバ３上で起動されるＣＧＩプログラム４に対して上記入力内容を渡し、監視システムの自動選定処理を行わせる。
【００１２】
図３は、カテゴリＡ（カメラ部）について、Ｑ１〜Ｑ５の回答内容に基づき機器構成が決定されるまでの動作を表わすシーケンス例である。この動作（後述する図４及び図５に示す動作も同様）は上記入力内容を受け取ったＣＧＩプログラム４が実行する内容である。図３に示すように、シーケンスの開始点３０１からＱ２〜Ｑ５の回答内容に応じて分岐していき、最終的に四角い二重線の枠３０２〜３０９のいずれかに到達する。枠３０２〜３０９には、カメラ部の構成機器及びその型式が定められており、クライアントのＱ２〜Ｑ５の回答内容に応じてカメラ部の構成機器が一意的に選定されるようになされる。なお、各構成機器の台数は、Ｑ１で入力された自然数を基に決定される。詳述すると、枠３０２〜３０９には、カメラ部の構成機器の名称、及び、台数がそれぞれ定められており、Ｃ：はカメラの型式、Ｌ：はレンズの型式、Ｏｐｔ：はカメラ取付金具の型式、Ｍ：は電源重畳ユニットの型式を表す。
【００１３】
ここで、例えば、枠３０２内の「Ｃ：ＫＰ−Ｄ２６  Ｑ１台」という記載は、選定されたカメラはＫＰ−Ｄ２６という型式のカメラで、台数はＱ１で入力された自然数、例えば１台となることを示す。なお、例えば枠３０２で示される構成であれば、シーケンスの開始点３０１からＱ２とＱ３の回答内容のみに基づき選定がなされている。これは、カメラ設置環境（Ｑ２）が屋外「０」で、監視条件（Ｑ３）が昼夜「０」である場合には、カメラ電源供給方式（Ｑ４）及びカメラ形状（Ｑ５）の回答内容にかかわらずカメラ部の構成機器を枠３０２の内容の通り定める場合のシーケンス例を示したものである。また、例えば枠３０３に示す「ＫＶ−Ｈ２１１Ａ」という型式のカメラは、レンズ一体型であり、またＡＣ１００Ｖ電源内蔵であるため、枠３０３においてはレンズ（Ｌ）等は記載されておらず、カメラ取付金具（Ｏｐｔ）についても必要となされない構成であるため記載されていない。また、枠３０４に示す「Ｍ：ＭＵ−Ｃ６０４  Ｑ１／４台」という記載は、選定された電源重畳ユニットはＭＵ−Ｃ６０４という型式の製品で、この製品には４つの電源端子があるため、台数はＱ１／４、すなわちＱ１で入力されたカメラ台数を録画装置の電源端子数（４個）で割った数で、小数点以下を繰り上げた自然数とする。例えば、Ｑ１で入力された自然数が「２」であれば、Ｑ１／４台とは１台であることを示し、Ｑ１で入力された自然数が「６」であれば、Ｑ１／４台とは２台であることを示す。
【００１４】
図４は、カテゴリＢ（録画部）について、Ｑ１及びＱ６の回答内容に基づき機器構成が決定されるまでの動作を表わすシーケンス例である。図４に示すように、シーケンスの開始点４０１からＱ６の回答内容に応じて分岐していき、最終的に四角い二重線の枠４０３〜４０５のいずれかに到達する。枠４０３〜４０５には、録画部の構成機器及びその型式が定められており、クライアントのＱ６の回答内容に応じて録画部の構成機器が一意的に選定されるようになされる。なお、各構成機器の台数は、Ｑ１で入力された自然数を基に決定され、カメラ台数Ｑ１を録画装置の映像入力数で割った数で、小数点以下を繰り上げた自然数とする。詳述すると、枠４０３〜４０５には、録画部の構成機器の名称、及び、台数がそれぞれ定められており、Ｒｅｃ：は録画装置の型式、Ｆｓ：はフレームスイッチャの型式を表す。なお、枠４０３〜４０５内の記載は図３と同様であるため詳細な説明は省略する。なお、４０２では、Ｑ１で入力されたカメラ台数が１０台未満であるかが判定され、１０台未満であれば、枠４０４で示されるようにＤＳ−Ｈ２００という型式で、映像入力端子が９個である録画装置が選定される。枠４０４で台数「Ｑ１／９」とされているのは、そのためである。また、カメラ台数が１０台以上であれば、枠４０３で示すようにＤＳ−Ｈ２００という型式で、映像入力端子が１６個である録画装置が選定される。
【００１５】
図５は、カテゴリＣ（モニタ部）について、Ｑ７〜Ｑ９の回答内容に基づき機器構成が決定されるまでの動作を表わすシーケンス例である。図５に示すように、シーケンスの開始点５０１からＱ７〜Ｑ９の回答内容に応じて分岐していき、最終的に四角い二重線の枠５０２〜５０８のいずれかに到達する。枠５０２〜５０８には、モニタ部の構成機器及びその型式が定められており、クライアントのＱ７〜Ｑ９の回答内容に応じて録画部の構成機器が一意的に選定されるようになされる。なお、モニタ部の台数はカテゴリＢ（録画部）で決定した録画装置（Ｒｅｃ）の台数と同じ台数とする。詳述すると、枠５０２〜５０８には、モニタ部の構成機器の名称がそれぞれ定められており、Ｍｏｎ：はモニタの型式を表す。なお、枠５０２〜５０８内の記載は図３と同様であるため詳細な説明は省略する。
【００１６】
以上の図３〜図５に示すように、クライアントの回答内容に応じて監視システムの構成機器が一意的に定まるシーケンスを予め定めておく。ＷＥＢサーバ３上で起動するＣＧＩプログラム４はこのシーケンスに基づいて監視システムの選定処理を実行する。これにより、インターネットを介して受信したクライアントからの要求、すなわち専用のＷＥＢ画面を介して入力されたＱ１〜Ｑ９の回答内容に基づき、監視システムの構成機器が自動的に選定される。なお、図２に示した質問事項の他に、クライアントの希望納期、希望購入価格等を入力させる項目を設定し、それらの回答内容を反映したシーケンスを定めるようにしてもよい。
【００１７】
次に、本システムを利用して、カメラ７台の映像をＶＴＲに録画する監視システムがクライアントの要求に基づいて構築される例を以下に示す。例えば、クライアントは、屋内ケース一体型のカメラ、カメラの電源供給方式は映像ケーブル重畳方式、１５型液晶モニタを要求したものとする。したがって、図２に示す専用のＷＥＢ画面にクライアントから入力されるＱ１〜Ｑ９の各変数は次のようになる。Ｑ１＝７、Ｑ２＝１、Ｑ４＝１、Ｑ５＝１、Ｑ６＝１、Ｑ７＝１、Ｑ９＝１。ここで、Ｑ３及びＱ８は図２に示すように直前の質問の回答内容との関係から変数は存在しない。ＷＥＢサーバ３から以上の変数を受け問ったＣＧＩプログラム４は、まず、図３に示したシーケンスによりカメラ部の選定を行う。その結果、カテゴリＡ（カメラ部）をカメラ：ＫＶ―１１５Ａが７台、電源重畳ユニット：ＭＵ―Ｃ６０４が２台と選定される。次に、ＣＧＩプログラム４は図４に示したシーケンスにより録画部の選定を行う。その結果、カテゴリＢ（録画部）をフレームスイッチャ：ＣＳ―Ｆ１２が１台、録画装置：ＶＴ―Ｌ２６００が１台と選定される。次に、ＣＧＩプログラム４は図５に示すシーケンスによりモニタ部の選定を行う。その結果、カテゴリＣ（モニタ部）を、モニタ：ＵＢ―１５ＶＣ２０（Ｈ）が１台と選定される。
【００１８】
以上の処理がＣＧＩプログラム４により実行されると、カテゴリＡ（カメラ部）、カテゴリＢ（録画部）、カテゴリＣ（モニタ部）からなる監視システムが構築される。ＣＧＩプログラム４の実行結果を受け取ったＷＥＢサーバ３は、監視システムの選定内容をインターネットを介してクライアント端末１に配信する。そして、クライアントは、監視システムの選定内容を確認し、選定された機器からなる構成で監視システムの購入を希望する場合には、ＷＥＢサーバ３に対して発注を指示する。なお、専用のＷＥＢ画面の形式は図２に示される形式に限られない。例えば、カメラ部、録画部、モニタ部を構成する各機器についてそれぞれクライアントが選択可能な部品リスト（型名等）を専用のＷＥＢ画面に表示し、クライアントがその中から所望の部品を選択し、部品の型名等を指定できるようにしてもよい。また、ＷＥＢサーバ３は図２に示した質問事項の回答を入力する形式のＷＥＢ画面、あるいは、表示された部品リストから所望の型名の部品を選択する形式のＷＥＢ画面のどちらにより監視システムの仕様の入力を行うかをクライアントに選ばせてもよい。
【００１９】
ここで、クライアント端末１にＣＧＩプログラム４による監視システムの選定内容を配信する際、ＷＥＢサーバ３側の処理によりクライアント端末１の表示画面に選定された監視システムのイメージ画像を表示させることもできる。表示されるイメージ画像は、例えば、上述の通りクライアントの要求に基づいて選定されたカメラ、レンズから画角を計算し作成された画像である。これにより、クライアントは納入予定の監視システムの監視画像をイメージすることができ、最終的な発注指示をＷＥＢサーバ３に対して行うか否かの判断材料とすることができる。
【００２０】
図６及び図７は、上述の通り作成されたカメラとレンズから演算される画像イメージを説明するための図である。ここでは、カメラはＫＶ―Ｄ６１型（１／３ＣＣＤ）、レンズはＴＳ２Ｖ３１４Ｅ（焦点距離３．５〜８ｍｍ）が選定されたものとする。
【００２１】
ここで、図６（ａ）に示すカメラの垂直の撮像範囲をＡ、図６（ｂ）に示すカメラの水平の撮像範囲をＢとすると、最大広角（焦点距離３．５ｍｍ）の場合のＡは５４．４°、Ｂは６８．９°、最大望遠（焦点距離８ｍｍ）の場合のＡは２５．４°、Ｂは３３．４°である。なお、これらの撮像範囲の数値は、カメラ（ＫＶ―Ｄ６１型）及びレンズ（ＴＳ２Ｖ３１４Ｅ）に対して一意的に定まる値であり、各レンズの最大広角時、最大望遠時の焦点距離等、画像イメージを生成するために必要となる情報が予めＷＥＢサーバ３が備えるテーブルに登録されている。
【００２２】
次に、図６に示す条件でカメラと被写体（高さ１．６Ｍ、幅０．４Ｍ）が空間に配置されたと想定した場合、最大広角（焦点距離３．５ｍｍ）、最大望遠（焦点距離８ｍｍ）時のカメラ画像イメージは図７（ａ）及び（ｂ）に示すようになる。以下、この画像イメージの作成原理について説明する。なお、被写体をカメラに近い順からＭ１、Ｍ２，Ｍ３、被写体の幅をＸ、高さをＹ、画像イメージサイズを横Ｈ、縦Ｖとする。
【００２３】
まず、最大広角時の被写体Ｍ１のイメージ画像上の幅（Ｘ―Ｍ１）は、水平の撮像範囲が６８．９°なので、
Ｘ―Ｍ１＝Ｈ×０．４／（２×５×ｔａｎ（６８．９／２））、
また、最大広角時のＭ１のイメージ画像上の高さ（Ｙ―Ｍ１）は、垂直の撮像範囲が５４．４°なので、
Ｙ―Ｍ１＝Ｖ×１．６／（２×５×ｔａｎ（５４．４／２））
となる。以下同様に、
Ｘ―Ｍ２＝Ｈ×０．４／（２×１０×ｔａｎ（６８．９／２））
Ｙ―Ｍ２＝Ｖ×１．６／（２×１０×ｔａｎ（５４．４／２））
Ｘ―Ｍ３＝Ｈ×０．４／（２×２０×ｔａｎ（６８．９／２））
Ｙ―Ｍ３＝Ｖ×１．６／（２×２０×ｔａｎ（５４．４／２））
となる。
【００２４】
また、最大望遠時の被写体Ｍ１のイメージ画像上の幅（Ｘ―Ｍ１）は、水平の撮像範囲が３３．４°なので、
Ｘ―Ｍ１＝Ｈ×０．４／（２×５×ｔａｎ（３３．４／２））、
また、最大望遠時の被写体Ｍ１のイメージ画像上の高さ（Ｙ―Ｍ１）は、垂直の撮像範囲が２５．４°なので、
Ｙ―Ｍ１＝Ｖ×１．６／（２×５×ｔａｎ（２５．４／２））
となる。以下同様に、
Ｘ―Ｍ２＝Ｈ×０．４／（２×１０×ｔａｎ（３３．４／２））
Ｙ―Ｍ２＝Ｖ×１．６／（２×１０×ｔａｎ（２５．４／２））
Ｘ―Ｍ３＝Ｈ×０．４／（２×２０×ｔａｎ（３３．４／２））
Ｙ―Ｍ３＝Ｖ×１．６／（２×２０×ｔａｎ（２５．４／２））
となる。
【００２５】
以上の値からＷＥＢサーバ３側の処理により画像イメージ（最大広角時、最大望遠時）が作成され、図７に示すように画像イメージがクライアント端末１の表示画面へ表示される。なお、他のカメラ、レンズにおいても、あらかじめＷＥＢサーバ３のテーブルに登録しておいたレンズの最大広角時、最大望遠時の焦点距離等から同様にイメージ画像上の被写体のサイズを算出し、最大広角時、最大望遠時のイメージ画像を作成することができる。
【００２６】
図７に示すイメージ画像により選定された機器を確認し監視システムの購入を希望する場合、クライアントは発注指示をＷＥＢサーバ３に返信する。発注指令を受けたＷＥＢサーバ３は前述の監視システムの選定内容を記録した発注伝票データ（機器構成表、クライアントの個人情報等）を発行する。発注伝票データはインターネットを介して即座に工場５に転送される。発注伝票データを受け取った工場５では直ちに承諾図書の作成、要求機器の生産を行い、クライアントに対して監視システムの発送を行う。これにより、監視システムの受注から発送までの一連の工程の迅速化を計ることができる。
【００２７】
以上、本発明を実施形態を用いて説明したが、本発明の技術的範囲は上記実施形態に記載の範囲には限定されない。本発明では、一例として監視システムへ適用した場合について説明したが、他の分野のシステムにも本発明の受発注システムを応用することができる。
【００２８】
【発明の効果】
以上詳述したように本発明では、標準機器により構成される簡易な監視システムに限り、クライアントの要求に応じたシステム構成を自動的に構築することでクライアントが迅速に必要機材、系統を把握できると共に、システムの標準化、営業業務の効率化、製造原価の低減、短納期対応を計ることが可能である。また、監視システムの構築の自動化、標準化を計ることで設計業務の効率化、製造工程の簡略化を推進することが可能である。更に、監視システムの発注段階において選定されたカメラ、レンズのカメラ画像イメージを自動表示させることにより、クライアントが視覚的に瞬時に監視システムを把握することが可能である。
【図面の簡単な説明】
【図１】本発明の一実施例に係る監視システムの受発注システムの全体構成を示す図である。
【図２】本発明の一実施例に係る専用のＷＥＢ画面を示す図である。
【図３】本発明の一実施例に係る監視システムのカメラ部を選定するシーケンス例である。
【図４】本発明の一実施例に係る監視システムの録画部を選定するシーケンス例である。
【図５】本発明の一実施例に係る監視システムのモニタ部を選定するシーケンス例である。
【図６】本発明の一実施例に係る監視システムのイメージ画像の構成物の位置関係を示す図である。
【図７】本発明の一実施例に係る監視システムのイメージ画像を示す図である。
【符号の説明】
１  クライアント端末
２  ネットワーク
３  ＷＥＢサーバ
４  ＣＧＩプログラム
５  工場
【図１】
2004302813.tif 000003
【図２】
2004302813.tif 000004
【図３】
2004302813.tif 000005
【図４】
2004302813.tif 000006
【図５】
2004302813.tif 000007
【図６】
2004302813.tif 000008
【図７】
2004302813.tif 000009